(57)【要約】 【課題】エネルギー損失を抑制する蓄電池装置の制御方法、蓄電池装置、および、蓄電池システムを提供する。【解決手段】並列に接続された複数の電池ユニット１Ｂと、電池ユニット１Ｂの複数の組電池１Ａの温度を検出する温度検出部４と、複数の電池ユニット１Ｂを流れる電流を検出する電流検出部３と、電流検出部３で検出された電流値を用いて電池ユニット１Ｂの電池状態を演算するＳＯＣ演算部５と、電池特性を格納した電池特性データベースＤＢと、ＳＯＣ演算部５で演算された電池状態と、電池特性データベースＤＢに格納された電池特性と取得して、電池ユニット１Ｂを保管する際の目標容量を算出し、起動信号がオフになったときに、電池ユニット１Ｂの電池状態が目標容量になるように充電を行う蓄電池装置管理手段１１と、を備えた蓄電池装置。【選択図】図１
2014023222.tif 000002
【特許請求の範囲】
【請求項１】
並列に接続された複数の電池ユニットと、
前記電池ユニットの複数の組電池の温度を検出する温度検出部と、
前記複数の電池ユニットを流れる電流を検出する電流検出部と、
前記電流検出部で検出された電流値を用いて前記電池ユニットの電池状態を演算するＳＯＣ演算部と、
電池特性を格納した電池特性データベースと、
前記ＳＯＣ演算部で演算された電池状態と、前記電池特性データベースに格納された電池特性と取得して、前記電池ユニットを保管する際の目標容量を算出し、起動信号がオフになったときに、前記電池ユニットの電池状態が目標容量になるように充電を行う蓄電池装置管理手段と、を備えた蓄電池装置。
【請求項２】
ネットワークを介して電池特性の情報を受信するサーバ通信手段をさらに備え、
前記蓄電池装置管理手段は、サーバ通信手段を介して受信した電池特性の情報により前記電池特性データベースを更新する請求項１記載の蓄電池装置。
【請求項３】
並列に接続された複数の電池ユニットと、
前記電池ユニットを充電する充電器と、
前記電池ユニットの温度を検出する温度検出部と、
前記複数の電池ユニットを流れる電流を検出する電流検出部と、
前記電流検出部で検出された電流値を用いて前記電池ユニットの電池状態を演算するＳＯＣ演算部と、
電池特性を格納した電池特性データベースと、
前記ＳＯＣ演算部で演算された電池状態と、前記電池特性データベースに格納された電池特性と取得して、前記電池ユニットを保管する際の目標容量を算出し、起動信号がオフになったときに、前記充電器を制御して前記電池ユニットの電池状態が目標容量になるように充電を行う蓄電池装置管理手段と、を備えた蓄電池システム。
【請求項４】
並列に接続された複数の電池ユニットと、
前記電池ユニットを充電するとともに、前記電池ユニットから負荷装置へ放電する充放電器と、
前記電池ユニットの温度を検出する温度検出部と、
前記複数の電池ユニットを流れる電流を検出する電流検出部と、
前記電流検出部で検出された電流値を用いて前記電池ユニットの電池状態を演算するＳＯＣ演算部と、
電池特性を格納した電池特性データベースと、
前記ＳＯＣ演算部で演算された電池状態と、前記電池特性データベースに格納された電池特性と取得して、前記電池ユニットを保管する際の目標容量を算出し、起動信号がオフになったときに、前記充電器を制御して前記電池ユニットの電池状態が目標容量になるように充電又は放電を行う蓄電池装置管理手段と、を備えた蓄電池システム。
【請求項５】
蓄電池システムの起動信号がオフとなったか否か判断し、
前記蓄電池システムの起動信号がオフとなったときに、温度検出部で検出された複数の電池ユニットの検出温度の中で最も高い値が第１温度より高いか否か判断し、
前記検出温度の中で最も高い値が前記第１温度以下であるときに、さらに、第２温度より高いか否か判断し、
前記第２温度よりも高いときに、電池特性データベースから前記電池ユニットの電池特性を取得して、前記電池ユニットの劣化が小さい上限である第１容量以下であって、温度変化に対する電圧変化が最も小さくなる第２容量を目標容量とし、
前記電池ユニットの電池状態が前記第２容量以上となるまで前記電池ユニットを充電する、蓄電池装置の制御方法。
【請求項６】
前記検出温度の中で最も高い値が前記第２温度以下であるときに、電池特性データベースから前記電池ユニットの電池特性を取得して、温度変化に対する電圧変化が最も小さくなる第３容量を目標容量とし、
前記電池ユニットの電池状態が前記第３容量以上となるまで前記電池ユニットを充電する、請求項５記載の蓄電池装置の制御方法。
【請求項７】
蓄電池システムの起動信号がオフとなったか否か判断し、
前記蓄電池システムの起動信号がオフとなったときに、電池特性データベースから前記電池ユニットの電池特性を取得して、前記電池ユニットの劣化が小さい上限である第４容量以下であって、温度変化に対する電圧変化が最も小さくなる第５容量を目標容量とし、
温度検出部で検出された複数の電池ユニットの検出温度の中で最も高い値が第１温度より高いか否か判断し、
前記検出温度の中で最も高い値が前記第１温度以下であるときに、さらに、前記電池ユニットの電池状態が前記第５容量以上であるか否かを判断し、
前記第５容量以上である場合に、充放電器を制御して前記電池ユニットの電池状態が前記第５容量となるまで前記複数の電池ユニットを放電し、
前記第５容量以下である場合に、充放電器を制御して前記電池ユニットの電池状態が前記第５容量となるまで前記複数の電池ユニットを充電する、蓄電池装置の制御方法。
【請求項８】
前記検出温度の中で最も高い値が前記第１温度より高いときに、さらに、前記電池ユニットの電池状態が前記第５容量以上であるか否かを判断し、
前記第５容量以上である場合に、充放電器を制御して前記電池ユニットの電池状態が前記第５容量となるまで前記複数の電池ユニットを放電する、請求項７記載の蓄電池装置の制御方法。
【発明の詳細な説明】
【技術分野】
【０００１】
本発明の実施形態は、蓄電池装置の制御方法、蓄電池装置、および、蓄電池システムに関する。
【背景技術】
【０００２】
近年、複数の電池ユニットを直列および並列に接続して構成した大容量の蓄電池装置の開発が進められている。蓄電池装置の規模が大きくなると、蓄電池装置内の温度ばらつきが大きくなることが予想される。
【０００３】
蓄電池装置内の温度ばらつきが大きくなると、複数の二次電池ユニットに温度にばらつきが生じる可能性がある。二次電池は温度に応じて電圧が変化する場合がある。したがって、並列に接続された電池ユニットに温度差が生じると、電池ユニット間に電圧差が生じて電池ユニット間に電流（横流）が発生してエネルギーが損失する可能性があった。
【先行技術文献】
【特許文献】
【０００４】
【特許文献１】特許第３８７０５７７号公報
【発明の概要】
【発明が解決しようとする課題】
【０００５】
本発明の実施形態は、エネルギー損失を抑制する蓄電池装置の制御方法、蓄電池装置、および、蓄電池システムを提供することを目的とする。
【課題を解決するための手段】
【０００６】
実施形態によれば、並列に接続された複数の電池ユニットと、前記電池ユニットの温度を検出する温度検出部と、前記複数の電池ユニットを流れる電流を検出する電流検出部と、前記電流検出部で検出された電流値を用いて前記電池ユニットの電池状態を演算するＳＯＣ演算部と、電池特性を格納した電池特性データベースと、前記ＳＯＣ演算部で演算された電池状態と、前記電池特性データベースに格納された電池特性と取得して、前記電池ユニットを保管する際の目標ＳＯＣを算出し、起動信号がオフになったときに、前記電池ユニットのＳＯＣが目標ＳＯＣとなるように充電を行う蓄電池装置管理手段と、を備えた蓄電池装置が提供される。
【図面の簡単な説明】
【０００７】
【図１】図１は、第１実施形態の蓄電池装置及び蓄電池システムの一構成例を概略的に示す図である。
【図２】図２は、電池ユニットの特性の一例を示す図である。
【図３】図３は、縦軸を温度変化に対する電圧変化の値とし、横軸をＳＯＣとした電池ユニットの特性の一例を示す図である。
【図４】図４は、ＳＯＣと温度との関係において電池ユニットが劣化しやすい領域を示す図である。
【図５】図５は、蓄電池装置管理手段における保管ＳＯＣの設定方法および充電方法の一例を説明するフローチャートである。
【図６】図６は、本実施形態の蓄電池装置および蓄電池システムの一構成例を概略的に示すブロック図である。
【図７】図７は、電池ユニットの特性の一例を示す図である。
【図８】図８は、縦軸を温度変化に対する電圧変化の値とし、横軸をＳＯＣとした二次電池セルの特性の一例を示す図である。
【図９】図９は、蓄電池装置管理手段における保管ＳＯＣの設定方法および充放電方法の一例を説明するフローチャートである。
【発明を実施するための形態】
【０００８】
以下、実施形態の蓄電池装置の制御方法、蓄電池装置、および蓄電池システムについて図面を参照して詳細に説明する。
【０００９】
図１は、第１実施形態の蓄電池システムの一構成例を概略的に示す図である。
【００１０】
本実施形態の蓄電池システムは、蓄電池装置と充電器８とを備えている。蓄電池装置は、複数の二次電池群（組電池）１Ａを含む電池ユニット１Ｂと、蓄電池装置管理手段１１と、サーバ通信手段９と、複数の電池ユニット１Ｂと充電器８との接続を切り替える開閉器１０と、電池特性データベースＤＢと、を備えている。この例では、複数の電池ユニット１Ｂが並列に接続されている。
【００１１】
開閉器１０は、駆動回路に電流を流すことによって開閉を行う電磁リレーやトランジスタのような半導体素子を用いてもよい。
【００１２】
電池ユニット１Ｂは、直列あるいは並列に接続された複数の二次電池セルからなる組電池１Ａと、電圧検出部２と、電流検出部３と、温度検出部４と、ＳＯＣ算出部５と、充電指令部６と、温度調整部７と、電池特性データベースＤＢと、を備えている。
【００１３】
組電池１Ａは、例えばリチウムイオン電池の二次電池セルを複数備えている。組電池１Ａは複数並列に接続された並列ユニット単位で、さらに複数が直列に接続している。
【００１４】
電圧検出部２は、組電池１Ａの並列ユニットの両端の電圧を所定時間ごとに検出し、ＡＤ変換している。電圧検出部２は検出した電圧の値をＳＯＣ算出部５および蓄電池装置管理手段１１へ送信する。なお、電圧検出部は、電池群を構成する各組電池１Ａもしくは二次電池セルの電圧を検出するように構成されてもよい。
【００１５】
電流検出部３は、充電器８から複数の電池ユニット１Ｂへの充電電流を検出する。電流検出部３は、電流測定抵抗やホール素子を用いた電流センサを備え所定時間ごとにこれらが出力する電圧に対してＡＤ変換を実施し、電流値に変換している。電流検出部３は検出した電流の値をＳＯＣ算出部５および蓄電池装置管理手段１１へ送信する。なお、図示した例では電流センサは蓄電池システムの一か所に取り付けられているが、複数個存在してもよい。電池群ごとに設置することで各電池群の残量測定精度の向上につながる。
【００１６】
温度検出部４は、組電池１Ａの近傍に配置された温度センサより組電池１Ａの温度を検出する。温度検出部４は検出した温度の値をＳＯＣ算出部５および蓄電池装置管理手段１１へ送信する。
【００１７】
ＳＯＣ算出部５は、受信した電流値を積算して電池ユニット１Ｂの充電状態（ＳＯＣ：state of charge）を算出する。なお、電池ユニット１Ｂの充電状態は、例えば、充電電流の積算値から放電電流の積算値を引いた値であってもよく、満充電状態に対する割合［％］であっても良い。
【００１８】
ＳＯＣ算出部５は、算出した電池状態（ＳＯＣ）および保管ＳＯＣを蓄電池装置管理手段１１および充電指令部６へ送信する。
【００１９】
充電指令部６は、ＳＯＣ算出部５から受信したＳＯＣおよび保管ＳＯＣに基づいて充電器８へ充電指令を出力する。例えば、電池ユニット１Ｂを単体で充電器８に接続する場合には、蓄電池装置管理手段１１を用いずに電池ユニット１Ｂからの充電指令により組電池１Ａを充電可能である。
【００２０】
温度調整部７は、組電池１Ａを冷却する冷却手段であって、例えばファンやラジエータである。温度調整部７は蓄電池装置管理手段１１によりその動作を制御される。
【００２１】
蓄電池装置管理手段１１は、受信した電圧、電流、温度、および、ＳＯＣの値を監視し、充電指令部６および温度調整部７の動作を制御する。蓄電池装置管理手段１１は、受信した電圧、電流、温度、および、ＳＯＣの値をサーバ通信手段９へ送信する。また、蓄電池装置管理手段１１は、定期的にサーバ通信手段９から電池情報を受信し、電池特性データベースＤＢを更新する。
【００２２】
二次電池セルの劣化特性等の電池特性は、長期間の試験や運用データの蓄積が必要なため、蓄電池システムが使用されている途中に外部サーバなどから更新可能であることが望ましい。なお、蓄電池装置管理手段１１に含まれていてもよく、ネットワークを介したサーバに含まれていてもよい。
【００２３】
蓄電池装置管理手段１１は、電池特性データベースＤＢにアクセスして取得した情報と、受信した温度、電圧、および、ＳＯＣ値とを用いて電池ユニット１Ｂの保管時の目標容量（保管ＳＯＣ）を設定する。ここで、保管ＳＯＣとは、蓄電池システムを休止したときに、充電もしくは放電して調整する電池残量の目標値である。
【００２４】
電池特性データベースＤＢは、例えば、二次電池セルのＳＯＣ［％］ごとの温度変化ΔＴに対する電圧変化ΔＶの特性と、ＳＯＣ［％］および温度［℃］に対する劣化特性とを備えている。
【００２５】
図２は、電池ユニットの特性の一例を示す図である。  
ここでは、電池ユニット１ＢのＳＯＣ［％］と電圧［Ｖ］との関係の一例を示している。この特性から、電池ユニット１Ｂの残容量が同じ場合であっても、温度が変化すると電圧が変化することがわかる。この例では、同じ残容量の電池ユニット１Ｂは、温度が低いほど電圧が高くなっている。すなわち、並列接続されている電池ユニット１Ｂに温度差が生じると、電池ユニット１Ｂ間に電流（横流）が流れることになる。
【００２６】
なお、電池ユニット１Ｂの使用中の温度ばらつきの例としては、電池ユニット１Ｂの外気に触れている部分の温度が低くて、外気が触れにくい中心部で温度が高いことがある。また、電池ユニット１Ｂの休止中の温度ばらつきの例としては、電池ユニットの設置場所とエアコンや送風機等との距離や日当たりなどに起因する場合がある。
【００２７】
図３は、縦軸を温度変化（ΔＴ）に対する電圧変化（ΔＶ）の値とし、横軸をＳＯＣ［％］とした電池ユニットの特性の一例を示す図である。この例は図２に示す電池特性に基づいている。
【００２８】
温度変化に対する電圧変化が大きいほど、すなわち、縦軸の値が大きいほど横流が発生しやすくなる。したがって、図３に示す例では、電池ユニット１Ｂを保存する際のＳＯＣが１００［％］に近いほど横流の発生を抑制することが可能と考えられる。
【００２９】
図４は、ＳＯＣと温度との関係において電池ユニット１Ｂが劣化しやすい領域を示す図である。ここで示した例では、ＳＯＣが高く温度が高いとき（斜線部）、電池ユニット１Ｂが劣化しやすくなる。電池ユニット１Ｂを保存する場合に、高ＳＯＣかつ高温環境であると、電池ユニット１Ｂの劣化が進み寿命を短縮することとなる。すなわち、電池ユニット１Ｂの保管時の温度環境によっては、劣化を防止するために保管ＳＯＣの設定値を変更することが望ましい。
【００３０】
サーバ通信手段９は、ネットワークを介して、蓄電池装置管理手段１１から受信した電圧、電流、温度、および、ＳＯＣの値を上位制御手段（図示せず）へ送信するとともに、ネットワークを介して上位制御手段から受信した制御信号および電池情報を蓄電池装置管理手段１１へ送信する。
【００３１】
充電器８は、蓄電池装置管理手段１１からの制御信号に基づいて、複数の電池ユニット１Ｂを充電する。すなわち、蓄電池装置管理手段１１は、充電器８を制御して、蓄電池システムの起動信号がオフとなった後、蓄電池システムが停止する前に、組電池１Ａの並列ユニットの残容量が保管ＳＯＣとなるように、例えば１Ｃの定電流充電を行い、所望の時間が経過したとき、もしくは、所望の充電電圧またはＳＯＣになった場合に充電を停止する。これにより、長期間電池を保存した場合などに、温度変化が発生しても蓄電池間に横流が流れる現象を防止することができる。
【００３２】
以下、本実施形態の蓄電池システムの充電動作について詳細に説明する。  
図５は、蓄電池装置管理手段１１における保管ＳＯＣの設定方法および充電方法の一例を説明するフローチャートである。
【００３３】
まず、蓄電池装置管理手段１１は、蓄電池システムの起動信号がオフとなったか否かを判断する（ステップＳ１１）。
【００３４】
蓄電池装置管理手段１１は、起動信号がオフとなったと判断したときに、温度検出部４から受信した検出温度の中で最も高い値が、第１温度Ｔ１よりも低いか否か判断する（ステップＳ１２）。なお、第１温度Ｔ１とは、二次電池セルを安全に充電することができる温度範囲の上限値であって、例えば７０℃である。
【００３５】
検出温度が第１温度Ｔ１よりも高いときには、蓄電池装置管理手段１１は複数の電池ユニット１Ｂを充電することなく、蓄電池システムを停止する。
【００３６】
検出温度が第１温度Ｔ１以下であるときには、蓄電池装置管理手段１１は、さらに、検出温度の中で最も高い値が第２温度Ｔ２よりも高いか否かを判断する（ステップＳ１３）。なお、第２温度Ｔ２とは、例えば図４に示す劣化特性に基づいて設定される温度であって、例えば二次電池セルが劣化しやすくなる温度範囲の下限値（図４の例では４０℃）である。
【００３７】
検出温度の中で最も高い値が第２温度Ｔ２よりも高い場合、蓄電池装置管理手段１１は、電池特性データベースＤＢの図４に示す劣化特性を参照して、検出温度の中で最も高い値において電池ユニット１Ｂが劣化するＳＯＣの下限値を第１容量ＳＯＣ１とする。続いて、蓄電池装置管理手段１１は、電池特性データベースＤＢの図３に示す電池特性を参照して、第１容量以下で最もΔＶ／ΔＴが小さくなる容量を取得し、この容量を電池ユニット１Ｂを保管する際の第２容量ＳＯＣ２として複数の電池ユニット１Ｂを充電する（ステップＳ１４）。すなわちこの場合には第２容量ＳＯＣ２が保管ＳＯＣとなる。
【００３８】
続いて、蓄電池装置管理手段１１は、算出されたＳＯＣが第２容量ＳＯＣ２以上か否かを判断し（ステップＳ１５）、電池ユニット１Ｂの容量が第２容量ＳＯＣ２となるまで複数の電池ユニット１Ｂを充電する。電池ユニット１Ｂの容量が第２容量ＳＯＣ２になったと判断したときに、蓄電池装置管理手段１１は開閉器１０を開いて蓄電池システムを停止する。なお、複数の電池ユニット１Ｂがある場合、ステップＳ１５において、最も大きいＳＯＣと第２容量ＳＯＣ２とを比較する。
【００３９】
ステップＳ１３において検出温度の中の最も高い値が第２温度Ｔ２以下である場合、蓄電池装置管理手段１１は、図３の電池特性を参照して、検出温度の中で最も高い値において電池ユニット１ＢのΔＶ／ΔＴが小さくなる容量を取得して、この容量を電池ユニット１Ｂを保管する際の第３容量ＳＯＣ３として複数の電池ユニット１Ｂを充電する（ステップＳ１６）。すなわちこの場合には第３容量ＳＯＣ３が保管ＳＯＣとなる。
【００４０】
続いて、蓄電池装置管理手段１１は、算出されたＳＯＣが第３容量ＳＯＣ３以上か否かを判断し（ステップＳ１７）、電池ユニット１Ｂの容量が第３容量ＳＯＣ３となるまで複数の電池ユニット１Ｂを充電する。電池ユニット１Ｂの容量が第３容量ＳＯＣ３になったと判断したときに、蓄電池装置管理手段１１は開閉器１０を開いて蓄電池システムを停止する。
【００４１】
上記のように、電池ユニット１Ｂを保管する際のＳＯＣの目標値を設けて、蓄電池システムを停止する前に目標値まで充電することで、蓄電池システムを保管している間は温度変化に対する電圧変化を抑制することができ、その結果、電池ユニット１Ｂ間で横流が発生することを抑制することができる。
【００４２】
したがって、本実施形態によれば、エネルギー損失を抑制する蓄電池装置の制御方法、蓄電池装置、および、蓄電池システムを提供することができる。
【００４３】
次に、第２実施形態の蓄電池装置の制御方法、蓄電池装置、および、蓄電池システムについて図面を参照して説明する。なお、以下の説明において上述の第１実施形態と同様の構成については同一の符号を付して説明を省略する。
【００４４】
図６は、本実施形態の蓄電池装置および蓄電池システムの一構成例を概略的に示すブロック図である。
【００４５】
本実施形態の蓄電池システムは、蓄電池装置と、充放電器１２と、負荷装置１３とを備えている。蓄電池装置は、複数の電池ユニット１Ｂと、蓄電池装置管理手段１１と、サーバ通信手段と、開閉器１０と、電池特性データベースＤＢと、を備えている。
【００４６】
本実施形態では、電池ユニット１ＢのＳＯＣが保管ＳＯＣよりも大きいときに、負荷装置１３を用いて電池ユニット１Ｂの容量が保管ＳＯＣとなるまで放電する点が上記第１実施形態と異なっている。
【００４７】
なお電池ユニット１Ｂの放電電力は、負荷装置１３で消費される他、電力系統への逆潮流や、別の蓄電池への充電に用いることも可能である。
【００４８】
図７は、電池ユニットの特性の一例を示す図である。  
ここでは、電池ユニット１ＢのＳＯＣ［％］と電圧［Ｖ］との関係の一例を示している。この例では、夫々の温度における電池ユニット１Ｂの電圧は、ＳＯＣが略６０［％］のときに略同一となっている。すなわち、並列接続されている複数の電池ユニット１ＢのＳＯＣが略６０％のときに、温度変化ΔＴに対する電圧変化ΔＴが小さくなることとなる。
【００４９】
図８は、縦軸を温度変化（ΔＴ）に対する電圧変化（ΔＶ）の値とし、横軸をＳＯＣ［％］とした二次電池セルの特性の一例を示す図である。この例は図７に示す電池特性に基づいている。この例では、電池ユニット１Ｂを保存する際のＳＯＣが６０［％］に近いほど横流の発生を抑制することが可能と考えられる。
【００５０】
以下、本実施形態の蓄電池システムの充電動作について詳細に説明する。  
図９は、蓄電池装置管理手段１１における保管ＳＯＣの設定方法および充放電方法の一例を説明するフローチャートである。
【００５１】
まず、蓄電池装置管理手段１１は、蓄電池システムの起動信号がオフとなったか否かを判断する（ステップＳ２１）。
【００５２】
続いて、蓄電池装置管理手段１１は、温度検出部４から受信した検出温度の中で最も高い値が、第１温度Ｔ１よりも高いか否か判断する（ステップＳ２２）。なお、第１温度Ｔ１とは、二次電池セルを安全に充電することができる温度範囲の上限値であって、例えば７０℃である。
【００５３】
検出温度が第１温度Ｔ１以下であると判断した場合、蓄電池装置管理手段１１は、電池特性データベースＤＢの図４に示す劣化特性を参照して、検出温度の中で最も高い値において電池ユニット１Ｂが劣化するＳＯＣの下限値を第４容量ＳＯＣ４とする。続いて、蓄電池装置管理手段１１は、電池特性データベースＤＢの図３に示す電池特性を参照して、第４容量ＳＯＣ４以下で最もΔＶ／ΔＴが小さくなる容量を取得し、この容量を電池ユニット１Ｂを保管する際の第５容量ＳＯＣ５として複数の電池ユニット１Ｂを充電する（ステップＳ２３）。すなわちこの場合には第５容量ＳＯＣ５が保管ＳＯＣとなる。
【００５４】
続いて、蓄電池装置管理手段１１は、温度検出部４から受信した検出温度の中で最も高い値が、第２温度Ｔ２よりも高いか否か判断する（ステップＳ２４）。なお、第２温度Ｔ２とは、例えば図４に示す劣化特性に基づいて設定される温度であって、例えば二次電池セルが劣化しやすくなる温度範囲の下限値（図４の例では４０℃）である。
【００５５】
検出温度が第２温度Ｔ２よりも高いときには、蓄電池装置管理手段１１はさらに、受信した電池ユニット１ＢのＳＯＣが第５容量ＳＯＣ５以上か否か判断する（ステップＳ２５）。このとき、電池ユニット１Ｂが複数ある場合は、最も大きいＳＯＣと第５容量ＳＯＣ５とを比較する。
【００５６】
電池ユニット１ＢのＳＯＣが第５容量ＳＯＣ５以上であった場合、蓄電池装置管理手段１１は、充放電器１２を制御して複数の電池ユニット１Ｂを放電し（ステップＳ２６）、負荷装置１３へ電力を供給する。
【００５７】
蓄電池装置管理手段１１は、電池ユニット１ＢのＳＯＣが第５容量ＳＯＣ５以下となったか否か判断し（ステップＳ２７）、電池ユニット１ＢのＳＯＣが第５容量ＳＯＣ５となるまで放電する。
【００５８】
電池ユニット１ＢのＳＯＣが第５容量ＳＯＣ５となったら、蓄電池装置管理手段１１は、充放電器１２を制御して電池ユニット１Ｂの放電をやめて、開閉器１０を開いて（ステップＳ２１３）蓄電池システムを停止する。
【００５９】
ステップＳ２４において、検出温度が第２温度Ｔ２以下であるときには、蓄電池装置管理手段１１は電池ユニット１ＢのＳＯＣが第５容量ＳＯＣ５以上か否かを判断する（ステップＳ２８）。このとき、電池ユニット１Ｂが複数ある場合は、最も大きいＳＯＣと第５容量ＳＯＣ５とを比較する。
【００６０】
電池ユニット１ＢのＳＯＣが第５容量ＳＯＣ５以上であった場合、蓄電池装置管理手段１１は、充放電器１２を制御して、複数の電池ユニット１Ｂを放電し（ステップＳ２９）、負荷装置１３へ電力を供給する。
【００６１】
蓄電池装置管理手段１１は、電池ユニット１ＢのＳＯＣが第５容量ＳＯＣ５以下となったか否か判断し（ステップＳ２１０）、電池ユニット１ＢのＳＯＣが第５容量ＳＯＣ５となるまで放電する。
【００６２】
電池ユニット１ＢのＳＯＣが第５容量ＳＯＣ５となったら、蓄電池装置管理手段１１は、充放電器１２を制御して電池ユニット１Ｂの放電をやめて、開閉器１０を開いて（ステップＳ２１３）蓄電池システムを停止する。
【００６３】
ステップＳ２８において、電池ユニット１ＢのＳＯＣが第５容量ＳＯＣ５未満であった場合、蓄電池装置管理手段１１は、充放電器１２を制御して、複数の電池ユニット１Ｂを充電する（ステップＳ２１１）。
【００６４】
蓄電池装置管理手段１１は、電池ユニット１ＢのＳＯＣが第５容量ＳＯＣ５以上となったか否か判断し（ステップＳ２１２）、電池ユニット１ＢのＳＯＣが第５容量ＳＯＣ５となるまで充電する。
【００６５】
電池ユニット１ＢのＳＯＣが第５容量ＳＯＣ５となったら、蓄電池装置管理手段１１は、充放電器１２を制御して電池ユニット１Ｂの充電をやめて、開閉器１０を開いて（ステップＳ２１３）蓄電池システムを停止する。
【００６６】
上記のように、電池ユニット１Ｂを保管する際のＳＯＣの目標値を設けて、蓄電池システムを停止する前に目標値まで充電および放電することで、蓄電池システムを保管している間は温度変化に対する電圧変化を抑制することができ、その結果、電池ユニット１Ｂ間で横流が発生することを抑制することができる。
【００６７】
したがって、本実施形態によれば、エネルギー損失を抑制する蓄電池装置の制御方法、蓄電池装置、および、蓄電池システムを提供することができる。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
ＤＢ…電池特性データベース、Ｔ１…第１温度（充電禁止温度）、Ｔ２…第２温度（劣化開始温度）、１Ａ…二次電池群（組電池）、１Ｂ…電池ユニット、２…電圧検出部、３…電流検出部、４、…温度検出部、５…ＳＯＣ算出部、６…充電指令部、７…温度調整部、８…充電器、９…サーバ通信手段、１０…開閉器、１１…蓄電池装置管理手段、１２…充放電器、１３…負荷装置。
【図１】
2014023222.tif 000003
【図２】
2014023222.tif 000004
【図３】
2014023222.tif 000005
【図４】
2014023222.tif 000006
【図５】
2014023222.tif 000007
【図６】
2014023222.tif 000008
【図７】
2014023222.tif 000009
【図８】
2014023222.tif 000010
【図９】
2014023222.tif 000011